(57)【要約】【課題】親器、子器を含む複数の照明器具を人検知によって連動点灯させ、また或る区間に人が居る限り照明を維持できる連動型照明器具システム及び連動型照明器具を提供することである。【解決手段】連動型照明器具システムは、人体を検知する人感センサーと、周辺照度を検出する照度センサーと、前記照度センサーを用いて点灯する常夜点灯部と人感センサーで点灯する通常点灯部とを兼ねた照明部と、照明器具間で連動点灯するために、前記照明部の点灯状態を前記照明器具間で伝達するもので、前記照明部の点灯状態が常夜点灯か通常点灯かを区別して伝達する情報伝達部と、前記情報伝達部の動作を制御する制御部とを含む連動型照明器具を、複数具備する。【選択図】図１
2013246982.tif 000002
【特許請求の範囲】
【請求項１】
人体を検知する人感センサーと、周辺照度を検出する照度センサーと、前記照度センサーを用いて点灯する常夜点灯部と人感センサーで点灯する通常点灯部とを兼ねた照明部と、照明器具間で連動点灯するために、前記照明部の点灯状態を前記照明器具間で伝達するもので、前記照明部の点灯状態が常夜点灯か通常点灯かを区別して伝達する情報伝達部と、前記情報伝達部の動作を制御する制御部とを含む連動型照明器具を、複数具備したことを特徴とする連動型照明器具システム。
【請求項２】
前記複数の連動型照明器具における制御部は、
一方の連動型照明器具が照度センサー検知に基づき常夜点灯したとき、その常夜点灯状態をもう一方の連動型照明器具に伝達させ、該もう一方の連動型照明器具をその人感センサー検知で通常点灯するための待機状態にさせる
ことを特徴とする請求項１に記載の連動型照明器具システム。
【請求項３】
前記照明器具間に子器用の連動型照明器具が接続可能であって、
前記子器用の連動型照明器具は、親器として用いられる前記照明器具間で点灯状態を示す情報を入出力するフォトカプラと、該フォトカプラからの出力情報を解読するマイコンとを備えたことを特徴とする請求項１又は２に記載の連動型照明器具システム。
【請求項４】
人体を検知する人感センサーと、
周辺照度を検出する照度センサーと、
前記照度センサーを用いて点灯する常夜点灯部と人感センサーで点灯する通常点灯部とを兼ねた照明部と、
照明器具間で連動点灯するために、前記照明部の点灯状態を前記照明器具間で伝達するもので、前記照明部の点灯状態が常夜点灯か通常点灯かを区別して伝達する情報伝達部と、
前記情報伝達部の動作を制御する制御部と、
を含むことを特徴とする連動型照明器具。
【発明の詳細な説明】
【技術分野】
【０００１】
本発明は、親器、子器を含む複数の照明器具を人検知によって連動点灯させる連動型照明器具システム及び連動型照明器具に関する。
【背景技術】
【０００２】
従来、人体からの放射される赤外線を検出して一つの照明器具を一定時間点灯させるスイッチ２個を３路結線する電子スイッチは提供されている。
【先行技術文献】
【特許文献】
【０００３】
【特許文献１】特許４１３４１２５号公報
【特許文献２】特許３５９６３０９号公報
【発明の概要】
【発明が解決しようとする課題】
【０００４】
階段を照明する方法として１個の照明器具を天井に取り付け、２個のスイッチで制御する３路結線は図５に示すように従来から良く知られており、人体から放射される赤外線を検知して照明器具を自動制御する先述の特許文献１で公示されている自動スイッチの３路結線を図６に示す。
【０００５】
図５では、人が１階から２階に上がりたい場合には、３路スイッチＡの摺動端子を端子１から端子３に切り替えると、天井に取り付けた照明負荷Ｌの両端は電気的に交流電源ＡＣに直列接続されて点灯する。人が２階に上がった後は、３路スイッチＢを端子３から端子１に切り替えることにより照明負荷Ｌの両端は電気的に交流電源ＡＣと不導通となって消灯する。
【０００６】
図６では、例えば人感センサーPED-Aが人体を検知すると、制御部２５Ａは所定時間のタイマー信号を生成してトライアックTRACをタイマーオンさせる。これによって、交流電源ＡＣから天井に取り付けた照明負荷Ｌを通り、トライアックTRAC-A，電流検知部３０Ｂを通して負荷電流（点灯電流）が流れる。電流検知部３０Ｂは負荷電流を検出すると、その電流が流れている期間、電流検知信号を制御部２５Ｂに送り、自動スイッチ１０Ｂの制御部２５Ｂはその電流検知信号の期間、トライアックTRAC-Bをオンにする。トライアックTRAC-Bのオンによって、交流電源ＡＣからトライアックTRAC-B，電流検知部３０Ａを通り、照明負荷Ｌに負荷電流（点灯電流）が流れる。この負荷電流は電流検知部３０Ａにて検出され、その電流検知信号が自動スイッチ１０Ａの制御部２５Ａへ送られることで、制御部２５ＡはトライアックTRAC-Aを人感センサーPED-Aの検知出力と同時に電流検知信号によってオンすることになる。これは、人感センサー付き自動スイッチ１０Ｂ側の人感センサーPED-Bが人体を検知した場合も同様となる。
【０００７】
もう一つの照明方式として、足元を部分的に照明する方式であり、このための階段専用の足元を照らす照明器具は階段の上下と中間とで少なくとも３個の設置が望ましい。このような照明器具は前者の天井灯が、階段全体を照明するのに対し、部分照明となるので、階段の上下に設置された足元を照明する照明器具のいずれかが点灯した時、少なくとも他の２個の照明器具が連動して点灯するようにしたい。また、前者の天井灯の場合は、一定時間だけ点灯し、タイムオーバーで強制的に消灯してしまうが、人によって階段の上り降りは時間が異なるので、人が階段に留まっている間は照明が切れないことが望ましい。本発明はこの要求を実現する連動型照明器具システムの提供にある。
【課題を解決するための手段】
【０００８】
本発明の一態様の連動型照明器具システムは、人体を検知する人感センサーと、周辺照度を検出する照度センサーと、前記照度センサーを用いて点灯する常夜点灯部と人感センサーで点灯する通常点灯部とを兼ねた照明部と、照明器具間で連動点灯するために、前記照明部の点灯状態を前記照明器具間で伝達するもので、前記照明部の点灯状態が常夜点灯か通常点灯かを区別して伝達する情報伝達部と、前記情報伝達部の動作を制御する制御部とを含む連動型照明器具を、複数具備する。
【０００９】
本発明の一態様の連動型照明器具は、人体を検知する人感センサーと、周辺照度を検出する照度センサーと、前記照度センサーを用いて点灯する常夜点灯部と人感センサーで点灯する通常点灯部とを兼ねた照明部と、照明器具間で連動点灯するために、前記照明部の点灯状態を前記照明器具間で伝達するもので、前記照明部の点灯状態が常夜点灯か通常点灯かを区別して伝達する情報伝達部と、前記情報伝達部の動作を制御する制御部と、を含む。
【図面の簡単な説明】
【００１０】
【図１】本発明の一実施形態の連動型照明器具システムにおける連動型照明器具の回路図。
【図２】図１における人体検知部の動作を説明する波形図。
【図３】図１の連動型照明器具と共に使用可能な子器の実施例を示す回路図。
【図４】２つの親器間に子器１台を接続した場合の接続状態を説明する回路図。
【図５】手動スイッチによる３路配線構成を示す図。
【図６】人感センサ付き自動スイッチによる３路配線構成を示す図。
【発明を実施するための形態】
【００１１】
以下、本発明の実施の形態について図面を参照して詳細に説明する。  
図１は本発明の一実施態様の親器としての連動型照明器具の回路図を示している。  
図１において、連動型照明器具１００は、電源部１０１と、人体検知部１０２と、情報伝達部１０３と、照度センサー部１０４と、制御部１０５と、照明部１０６と、を備える。
【００１２】
連動型照明器具１００は、照度センサー部１０４による周囲環境照度の測定結果、及び人体検知部１０２の人感センサーによる人体検知結果に基づき、制御部１０５が照明部１０６を常夜点灯、通常点灯または消灯状態に制御することが可能となっている。
【００１３】
電源部１０１は、ＡＣ１００ＶからＤＣ電源を生成するためには、ダイオードブリッジＤＢ1の全波整流電圧に基づいてフライバック方式のスイッチングトランスＴ1とスイッチング素子ＩＣ1からなるスイッチングレギュレータ回路にて照明用ＬＥＤ1〜ＬＥＤ5の電源を生成し、かつ同電源からトランジスタＱ1とレギュレータＩＣ3から人感センサー等の制御回路用電源＋５Ｖとを生成する。
【００１４】
人体検知部１０２は、人感センサーＰＥＤ1は焦電センサーを利用し、該信号出力を２段の増幅回路(ＩＣ4A，ＩＣ4B)で増幅した後、ウィンドウコンパレータ(ＩＣ5A，ＩＣ5B)にて人体検知出力を２値化する。焦電センサー(以下、人感センサー)では図２(a)に示すように、一人の人体検知出力は複数のパルス出力になってしまうため、このまま情報処理すると、複数の人体を検出したと誤報することになるため、図２(b)のウィンドウコンパレータ出力をトランジスタＱ2とＲ1 9，Ｃ1 3の積分回路とシュミットインバータＩＣ6Aとで図２(e)の矩形波に変形させ、Ｃ14，Ｒ21の微分回路とＩＣ6Bのシュミットインバータにて１パルスに変換する。これを更にＩＣ6Cのシュミットインバータにて図２(g)の正パルスに変換して出力している。このようにすれば、一人の人体検知は１パルスとして制御用マイコンＩＣ9に入力することが出来る。
【００１５】
情報伝達部１０３は、トランジスタＱ3，Ｑ4，Ｑ5とＮＯＲゲートＩＣ8を備え、後述する子器との情報伝達、或いはもう一つの親器との情報伝達を行うための回路である。
【００１６】
照明部１０６は、照明用ＬＥＤ1〜ＬＥＤ5とその点灯制御部とを含む。点灯制御部は、パルス幅制御による明るさ制御用のスイッチングトランジスタＱ6を備える。照明用ＬＥＤ1〜ＬＥＤ5は照度センサーＰＤ1にて所定の周囲照度例えば１０ＬＸ以下となった時点でデューティが約２５％で点灯(以下、常夜点灯)し、常夜灯として周囲照度が約３０ＬＸ程度を超える時点まで連続点灯し、この常夜点灯状態で更に人体を検出した時はデューティが１００％で点灯(以下、通常点灯)し、階段を昇り降りする人の足元を明るく照らすことができる。
【００１７】
図３に本発明の一実施態様の子器１００-1の回路図を示す。図１に示す親器１００に比して人体検知部が不要となる。子器１００-1のもう一つの特徴は情報伝達部１０３-1が親器１００の場合とは異なり、フォトカプラＩＣ2を利用した簡単な構成となっていることにある。子器１００-1において、１０１-1はマイコン用電源とＬＥＤ照明用電源とを備えた電源部、１０５-1はマイコンＩＣ9を備えた制御部、１０６-1は照明用ＬＥＤ1〜ＬＥＤ5とその点灯制御部とを含む照明部である。
【００１８】
図４を用いて親器１００Ａ，１００Ｂと子器１００-1間の情報伝達に関する説明をする。図４では、親器及び子器における情報伝達部及びその制御部(制御用マイコンＩＣ9)のみを示している。
【００１９】
今、親器１００Ａ側で人体を検知することで親器１００Ａの照明用ＬＥＤが通常点灯状態となった時点では、マイコンＩＣ9のピン１６に人体検知出力が入力し、マイコンＩＣ9のピン６がＨレベルとなりトランジスタＱ3をオンにする。この結果トランジスタＱ４が導通してＳＩＧ端子に電源Ｖｃｃが供給される。このとき、ＮＯＲゲートＩＣ8の入力端子１はＨレベルなので、ＮＯＲ出力端子４は必ずＬレベルとなる。マイコンＩＣ9はＮＯＲ出力端子４は変化なしと判断する。子器１００-1のＳＩＧ端子には親器１００ＡからＶｃｃが供給されるため、子器１００-1のフォトカプラＩＣ2の一次側がオンして、出力側のトランジスタもオンすることから、子器１００-1のマイコンＩＣ9のピン５がＨレベルからＬレベルに変化することで親器１００Ａの情報が子器１００-1に伝達されたことになる。これによって子器１００-1側の照明用ＬＥＤが通常点灯する。一方、親器１００ＢのＳＩＧ端子にも親器１００ＡのＶｃｃが供給されトランジスタＱ5がオンして親器１００ＢのＮＯＲゲートＩＣ8の入力端子２がＬレベルとなる。この時、親器１００Ｂでは人体検知が無いのでマイコンＩＣ９のピン６のレベルはＬのままなので、ＮＯＲゲートＩＣ8の出力端子４はＬレベルからＨレベルに変化する。このことから、親器１００Ａの情報が親器１００Ｂにも伝達されたことになる。これによって親器１００Ｂ側の照明用ＬＥＤも通常点灯する。
【００２０】
次に、人が親器１００Ａを通過して、親器１００Ｂに到達して時点で、親器１００Ｂの人体検知信号が発生する。この時点で、階段灯の照明を元の常夜点灯の明るさに戻すことになる。前記のように親器１００Ａで人体検知された場合と同様に親器１００Ｂから人体検知の伝達信号を発生すると、親器１００Ｂから子器１００-1と親器１００Ａにその情報が同様に伝達される。この場合、親器１００Ａからの点灯信号に対し、親器１００Ｂからは消灯信号とする必要があるので、信号内容(種類)を変える必要がある。この信号内容(種類)の差の情報を伝達(実現)する実施例として、パルス信号を用いてそのパルス幅を変える方法またはパルス数を変える方法がある。このパルス幅またはパルス数の可変により、伝達すべき情報として単に、通常点灯時のＬＥＤ点灯、消灯の指令以外にも、例えば常夜点灯時の点灯、消灯状態の情報にも用いることができる。
【００２１】
すなわち、親器１００Ａと親器１００Ｂの設置される環境が異なることから、その周囲照度に差が発生する。例えば階段の一階部が二階部より暗く、一階側の照度センサでの明るさ検知により、一階では常夜点灯が二階のそれより早く点灯する場合が発生する。この場合、一階の親器が二階の親器に既に常夜点灯中の情報を通常点灯時とは異なるパルス幅またはパルス数に変えて送ることが出来る。一階の親器が照度センサーの検知結果に基づき常夜点灯したとき、その常夜点灯状態を二階の親器に伝達すると、二階の親器は自らの人感センサー検知で通常点灯するための待機(準備)状態に設定される。そして、実際に二階の親器に人が来たときに人体検知して該二階の親器は通常点灯して階段付近を明るくすることになる。逆に常夜点灯を消灯した情報も伝達できる。
【００２２】
このように、人体から放射される赤外線を検出してＬＥＤ照明を点灯する照明器具２個を親器として連結して、その間に親器が点灯している間連動してＬＥＤ照明を点灯する子器を連接する連動型ＬＥＤ照明器具を実現できる。
【００２３】
本発明の実施形態によれば、人感センサーと周辺照度検出照度センサーを用いた親子連動型階段灯を階段の昇降口にそれぞれ設置して、階段の途中に子器を１個または複数個設置して親子間を２線の信号線で連結して両親器と子器間の信号伝達はパルス幅またはパル数の変化で実現するため、いろいろな情報を送信することが出来ることで、人が階段を登り降りしている間中、即ちその人が階段を登りきる又は降り切る間中足元を照らし続けることが可能となる。また、常夜灯を兼ねているので、階段への誘導も可能となり、人に優しい階段灯を提供することができる。なお、本発明に係る連動型照明器具システム及び連動型照明器具は、階段灯に限らず、廊下などの通路灯として用いても有用である。
【００２４】
本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２５】
１００…連動型照明器具、１０１…電源部、１０２…人体検知部、１０３…情報伝達部、１０４…照度センサー部、１０５…制御部、１０６…照明部、ＰＤ1…照度センサー、ＰＥＤ1…人感センサー、ＩＣ2…フォトカプラ、ＩＣ9…制御用マイコン。
【図１】
2013246982.tif 000003
【図２】
2013246982.tif 000004
【図３】
2013246982.tif 000005
【図４】
2013246982.tif 000006
【図５】
2013246982.tif 000007
【図６】
2013246982.tif 000008